【手続補正書】
【提出日】平成16年10月21日(2004.10.21)
【手続補正１】
【補正対象書類名】明細書
【補正対象項目名】全文
【補正方法】変更
【補正の内容】
【書類名】            明細書【発明の名称】  安い・簡単・二重窓カ−テン機能付き後付けキット【特許請求の範囲】【請求項１】建造物等の開口部（窓・ドア−）などにある枠（１）（木製の場合が多い）に強度があり、弾力性・復元力あるフィルム（２）（サンバイザ−やファイルケ−ス等に用いられている透明または着色されたもの−Ｐ・Ｖ・Ｃ等）に布、紙、合成樹脂、ゴムなどそれに類するものを留めるか、張り合せたもの、または中に挿入したもの（３）を棒状等のもの（４）に巻き付けた巻き取り装置（５）又（５）の左右どちらかの端が伸縮も可能で長さを調整できる構造の巻き取り装置（６）もしくは（５）の左右どちらの端も伸縮が可能で長さを調整できる巻き取り装置（７）を枠（１）の上部又は下部、右又は左に既存の窓硝子（８）やドア−（９）と空間を取れる位置に固定し、左右または上下のガイドレ−ル（１０）、必要に応じてその間に設置するガイドレ−ル（１１）に沿って前記巻き取り装置に巻きとられているフィルムの先端部に取り付けたマジックテ−プ等を取り付けた取って（１２）を上下、または左右に動かし、フィルムを出し、巻き取り装置のある枠とは反対の枠に取り付けたマジックテ−プ等（１３）により固定し、既存の窓、ドア−等の間に密閉され空間を作り、二重窓（１４）二重ドア−（１５）とすることができる装置と方法とそれを実際に提供する後付けキット。【請求項２】請求項１で述べた後付けキットのフィルムを巻き付け、ガイドレ−ルと直結できるようにされた巻き取り装置の後付けキット（５）、（６）、（７）。【請求項３】請求項１で述べた後付けキットでフィルム（２）でガイドレ−ル（１１）に接する部分も含め着色したり模様を付けたり、布、合成繊維、ゴム、プラスチック、着色したフィルム等をを貼るか取り付けるかして遮光性、密閉性、デザイン性、さらに強度等を増す後付けキット（１６）。【請求項４】請求項１で述べた後付けキットで密閉度を高め、使わないときに格納できるマジックテ−プの後付けキット（１３）。【請求項５】請求項２で述べた後付けキットのフィルムを支えるガイドレ−ルで二重窓を形成させるためのフィルムを一つの窓枠内で任意の大きさに分割しそれぞの分割されたフィルムが独立して開閉できることを可能にするようにした左右両面がガイドレ−ルとなっているガイドレ−ルの後付けキット（１１）。【発明の詳細な説明】【０００１】【発明に属する技術分野】  本発明は建物の開口部にある既存の窓、硝子やドア−のサッシ等を固着させている枠（通常木製）にフィルムを巻き付けた巻き取り装置とガイドレ−ル等を取り付け、安価で簡便な二重窓またドア−を作り、デザイン性を備え、屋外と屋内の断熱と遮光を同時に行うものである。【０００２】【従来の技術】  従来、建物において、外気の熱を建物内部に伝えないようにする、またその逆もあるが、断熱という面で窓が硝子一枚ということが多く窓から建物内部の熱が逃げたり、外の熱が建物内に入ったりして暖房、冷房の効率を下げていた。そこで考えられたのが、サッシの窓を空間を取って二つ並べて施行する方法やガラスそのものを複層にする方法が取られてきた。しかし、方法としては良いが高価であることが大きな問題であり、ごく限られた人にしか使われていないのが現状である。それで、改善策として特開平７−２６９２４４号があるが、シ−ト材をはった保持枠を窓枠に着脱するのは容易ではないと考えられること。そして、特開２０００−２１３２４７では窓枠の外側（室内側）にフィルムを取り付けるという方法であるが。この場合、窓枠にカ−テンレ−ルなど既に取り付けていて木枠より手前にそのレ−ルやカ−テンがはみ出している住宅ではそれを撤去してからでなければ取り付けられないという問題がある。密閉度においても問題があると思われる。【０００３】【発明が解決しようとする課題】  従来の技術で述べた二重サッシにするという方法は、大掛かりな工事が必要な為、かなりの費用と工事に何日もかかるという問題点を有していた。【０００４】  また、複層硝子にするという方法も複層硝子自体が高価なうえ、やはり専門の業者に工事を依頼しなければならない為、かなりの費用と時間がかかるという問題点を有していた。【０００５】  更に、遮光という点ではどうしても旧来のカ−テンに頼らなけらばならないという問題点も有していた。【０００６】  そして、どちらの場合も硝子のなので本質的に衝撃に弱く割れやすく危険という問題点を有していた。【０００７】  また、今まで考えられてきた別の方法も施行が大変であったり、ある場合、施行前に今まで使っていたものを撤去しなければならないという問題点を有していた。また、先に出願されていた方法も安価であるかという点や複雑であったり、施行する面で問題があったり、密閉度の問題があったり、どれほど密閉し断熱するかの選択も難しいものがあった。【０００８】  本発明は、従来の技術が有する問題点を解決する為に成されたものであり、その目的は安価でだれもができる簡単な作業で、今までの二重サッシや複層がラスと同じような断熱、保温効果が得られ、且、安全でデザイン性も備え、同時に従来のカ−テンが持つ遮光効果も兼ね備えたものある。さらにどれだけ断熱、保温効果、遮光効果を得るかが選択できる画期的な建物の窓、ドア−等に用いる後付けキットを提供するものである。【０００９】【課題を解決する為の手段】  上記目的を達成する為、本発明は建物開口部である既存のサッシ等の窓やドア−を固着させている枠（木製の場合が多い）に通常、夏に日除として頭にあぶるサンバイザ−等やファイルケ−ス等に用いられている強度と弾力性を備えたフィルム−Ｐ・Ｖ・Ｃ等を巻き付けた巻き取り装置を後付けキットとして、硝子サッシ等と空間を有するように上下左右どちらかにビス等で取り付け、ビス、粘着テ−プ等で固定されたガイドレ−ルにそって、フィルムを引いて反対側の枠に固着させ、屋内側にもう一つの窓を構成すようにして従来の二重窓や複層硝子の窓と同じような形状にし断熱効果を得る。【００１０】  このキットの重要な特徴の一つとしては弾力性つまり反発力のあるがフィルムを使用することにより巻き取り装置ないで巻き取り装置の内面壁とフィルムとの間、また巻かれた状態にあるフィルムどうしとの間に発生する適度な摩擦力により無段階でフィルムを出し入れすることができること、つまり密閉することも半閉することも複雑な機構、構造を要することなく遮光効果、保温、断熱効果を無段階に選択��ることができることである。【００１１】  そして、上記フィルムに着色または着色したフィルムを張り付けることにより、合成樹脂、化学繊維、布等を張り合せることにより、このフィルムにそれらのものをはさんだ構造のものを使用することにより、既存のカ−テンと以上に遮光効果、紫外線防止効果、目隠し効果、デサイン性を楽しめる効果、強度を得ることができ、埃が付くこともなくメンテナンスが簡単なので既存のカ−テンが必要でなくなる。【００１２】【発明の実施の形態】  発明の実施の形態については図面を参照して説明する。図１はサッシの窓を固定している枠（１）であるが、一例としてフィルムを巻き付けた巻き取り装置（６）を枠（１）の上部に取り付ける場合について説明する。【００１３】  規格サイズの巻き取り装置（５）、図５、図６はそのままで、また長さを可変できるもの図７は（Ａ）部だけ可変できる巻き取り装置（６）は（Ａ）部をまた、（Ａ）部と（Ｂ）部、両方可変できるもの巻き取り装置（７）は両方を調整し、枠上部の大きさに巻き取装置を取り付ける。サッシは殆どが規格品なので微調整の範囲と考えられる。【００１４】  巻き取り装置（５）、（６）、（７）は外装ａと巻き取り支持棒ｂと巻き取り棒ｃで構成されているものと、さらにフィルムを巻き取り棒に誘導するバネ付き誘導ピンｄがついているもの２種類を提供する。【００１５】  前記巻き取り装置を取り付けたら、次に左右一対のガイドレ−ル（１０）を左右木枠等にをネジまたは両面テ−プ等で固定する。【００１６】  そして、フィルムを取り付けた棒ｅに付いている取っ手（１２）を引っ張りフィルムがガイドレ−ルの溝に入っているのを確認しながら下部の枠まで降ろし留める。（取っ手（１２）と下部木枠はマジックテ−プ（１３）等で留めることが望ましい。【００１７】  また、左右のガイドレ−ル（１０）の間にもう一本のガイドレ−ル（１１）を固定して巻き取り装置（５）か（６）か（７）を２つにすることができる。【００１８】【発明の効果】  請求校（１）により、現在、ガラスの窓が一枚で、夏暑く、冬寒い建造物がこの装置により従来の二重サッシや複層ガラスよりかなり安価でしかも断熱効果が上がり、夏は従来より涼しく、冬は従来より暖かくなり、冷房費や暖房費が軽減され、結露も生じにくくなり建物の耐久性も向上する。【００１９】  そして、請求校（２）によりどのような窓にもこのキットを装着できる。また、フィルムに着色することにより有害な紫外線が室内に入るのを減少させることができる。【００２０】  また、その遮光、断熱、保温、目隠し効果により、さらに埃も付きにくく汚れにくいためメンテナンスも簡単なので従来のカ−テンはなくてもよくなる。【００２１】  個人でしかも短い時間で安価でこのキットを取り付けることができ、しかも、既存の建造物の殆どで使用可能であり、上記の効果をどれ程得るか選択可能である。【００２２】  ガラスに比べ危険が少なく小さい子供がいても安全である。【００２３】  請求校（２）と請求校（５）により窓を半分だけ遮光しないとか外気を取入れるとかが無断階で選択可能である。【００２４】  請求校（３）によりガイドレ−ルとフィルムの間の密閉度を高めることができる。【００２５】  ��求校（３）により様々なデザインを楽しめ。更に。ある程度の強度も保持することができる。【図面の簡単な説明】【図１】  本キットの装着図である【図２】  本キットの正面からの装着図である。【図３】  巻き取り装置を二つ、ガイドレ−ルを三つ使用した場合の本キットの装着図である。【図４】  右側面からの巻き取り装置の装着図である。【図５】  巻き取り装置の底面図である。【図６】  巻き取り装置（５）の断面図である。【図７】  可変式巻き取り装置（６）の断面図である。【図８】  可変式巻き取り装置（７）の断面図である。【図９】  上下または左右の端に取り付けるガイドレ−ル（１０）である。【図１０】  端に取り付けられた２本のガイドレ−ル（１０）の間に取り付ける場合のガイドレ−ル（１１）である。【図１１】  取っ手（１２）の部分の斜視図である。【図１２】  ケ−ス入りマジックテ−プ（１３）の斜視図である。【符合の説明】  （１）サッシを固定している窓の枠  （２）フィルム  （４）棒状のもの  （５）（６）（７）巻き取り装置本体  （８）窓硝子  （１０）（１１）ガイドレ−ル  （１２）取っ手  （３）（１６）効果を高めたフィルム
【手続補正２】
【補正対象書類名】図面
【補正対象項目名】全図
【補正方法】変更
【補正の内容】
【図１】
2003074265.tif 000001
【図２】
2003074265.tif 000002
【図３】
2003074265.tif 000003
【図４】
2003074265.tif 000004
【図５】
2003074265.tif 000005
【図６】
2003074265.tif 000006
【図７】
2003074265.tif 000007
【図８】
2003074265.tif 000008
【図９】
2003074265.tif 000009
【図１０】
2003074265.tif 000010
【図１１】
2003074265.tif 000011
【図１２】
2003074265.tif 000012